(57)【要約】【課題】電子レンジによる加熱時に食べ物が対流中より陶磁器製食器本体の内面及び陶磁器製蓋内面に形成した凹凸溝に接触してすり潰されることによって、電子レンジを利用して手間をかけることなく簡単に離乳食を作ることのできる電子レンジ用離乳食用食器を提供することにある。【解決手段】電子レンジを利用して離乳食を作る場合に使用される陶磁器製の離乳食用食器であって、電子レンジによる加熱時に生じる対流で食べ物が接触した際に食べ物がすり潰される凹凸溝２１、３１を陶磁器製食器本体２の内面及び陶磁器製蓋３の内面に形成した。【選択図】        図１
0003126580.tif 000002
【実用新案登録請求の範囲】
【請求項１】
電子レンジを利用して離乳食を作る場合に使用される陶磁器製の離乳食用食器であって、電子レンジによる加熱時に生じる対流で食べ物が接触した際に食べ物がすり潰される凹凸溝を陶磁器製食器本体の内面及び陶磁器製蓋の内面に形成したことを特徴とする電子レンジ用炊飯茶碗。
【請求項２】
電子レンジを利用して離乳食を作る場合に使用される陶磁器製の離乳食用食器であって、電子レンジによる加熱時に生じる対流で食べ物が接触した際に食べ物がすり潰される凹凸溝を陶磁器製食器本体の内面及び陶磁器製蓋の内面に形成すると共に、陶磁器製食器本体の内面の上記凹凸溝を陶磁器製食器本体の上面開口周縁より少し下側から底面側にわたって形成したことを特徴とする電子レンジ用炊飯茶碗。
【請求項３】
電子レンジを利用して離乳食を作る場合に使用される陶磁器製の離乳食用食器であって、電子レンジによる加熱時に生じる対流で食べ物が接触した際に食べ物がすり潰される凹凸溝を陶磁器製食器本体の内面及び陶磁器製蓋の内面に形成すると共に、陶磁器製食器本体の内面の上記凹凸溝を陶磁器製食器本体の上面開口周縁より少し下側から底面側にわたって形成し、陶磁器製蓋に通気孔を形成し、陶磁器製食器本体の側面に側方に向けて把手を突出して設け、把手の表面中央に滑り止めようの窪みを形成したことを特徴とする電子レンジ用炊飯茶碗。
【考案の詳細な説明】
【技術分野】
【０００１】
この考案は、電子レンジを利用して手間をかけることなく簡単に離乳食を作ることができると共に、できた離乳食を別の食器に移し替えることなくそのまま乳児が食べれる電子レンジ用離乳食用食器に関するものである。
【背景技術】
【０００２】
従来、離乳食は、食器内に乳児が食べやすい例えばご飯と湯、或いは小さく千切ったパン切れと牛乳などの食べ物を入れ、食器内に入れた食べ物をスリコギなどを使って小さくすり潰して、乳児が食べやすいようにしている。
【考案の開示】
【考案が解決しようとする課題】
【０００３】
しかしながら、離乳食を作る際にその都度、スリコギなどを使って食べ物をすり潰すことは面倒であり、又時間と手間もかかり、しかも食べ物をすり潰す間はほかの料理を作る作業や準備などを行うことができず、さらに離乳食の準備に伴うストレスも生じている。
【０００４】
この考案は、上記のような課題に鑑み、その課題を解決すべく創案されたものであって、その目的とするところは、電子レンジによる加熱時に食べ物が対流中より陶磁器製食器本体の内面及び陶磁器製蓋内面に形成した凹凸溝に接触してすり潰されることによって、電子レンジを利用して手間をかけることなく簡単に離乳食を作ることのできる電子レンジ用離乳食用食器を提供することにある。
【課題を解決するための手段】
【０００５】
以上の目的を達成するために、請求項１の考案は、電子レンジを利用して離乳食を作る場合に使用される陶磁器製の離乳食用食器であって、電子レンジによる加熱時に生じる対流で食べ物が接触した際に食べ物がすり潰される凹凸溝を陶磁器製食器本体の内面及び陶磁器製蓋の内面に形成した手段よりなるものである。
【０００６】
また、請求項２の考案は、電子レンジを利用して離乳食を作る場合に使用される陶磁器製の離乳食用食器であって、電子レンジによる加熱時に生じる対流で食べ物が接触した際に食べ物がすり潰される凹凸溝を陶磁器製食器本体の内面及び陶磁器製蓋の内面に形成すると共に、陶磁器製食器本体の内面の上記凹凸溝を陶磁器製食器本体の上面開口周縁より少し下側から底面側にわたって形成した手段よりなるものである。
【０００７】
また、請求項３の考案は、電子レンジを利用して離乳食を作る場合に使用される陶磁器製の離乳食用食器であって、電子レンジによる加熱時に生じる対流で食べ物が接触した際に食べ物がすり潰される凹凸溝を陶磁器製食器本体の内面及び陶磁器製蓋の内面に形成すると共に、陶磁器製食器本体の内面の上記凹凸溝を陶磁器製食器本体の上面開口周縁より少し下側から底面側にわたって形成し、陶磁器製蓋に通気孔を形成し、陶磁器製食器本体の側面に側方に向けて把手を突出して設け、把手の表面中央に滑り止めようの窪みを形成した手段よりなるものである。
【考案の効果】
【０００８】
以上の記載より明らかなように、この考案に係る電子レンジ用離乳食用食器によれば、離乳食用食器内に乳児が食べやすい例えばご飯と湯、或いは小さく千切ったパン切れと牛乳などの食べ物を入れ、これらの食べ物が入った離乳食用食器を電子レンジに入れて加熱するのみで、離乳食用食器内で食べ物が対流の際に、陶磁器製食器本体内の内面及び陶磁器製蓋の内面に形成した凹凸溝に接触することにより、徐々にすり潰されて、乳児が食べやすい大きさにすり潰すことができる。
これにより、従来のようにスリコギなどを使って食べ物をすり潰す手間を省略でき、この間はほかの料理を作ることができるので、離乳食の調理時間の短縮化を図ることができ、しかも、出来上がった離乳食を乳児用食器に移し替える手間も省けて、乳児にその電子レンジ用離乳食用食器でそのまま離乳食を食べさせることができ、離乳食の準備に伴うストレスの軽減を図ることができる。
また、陶磁器製蓋は少し重たく、陶磁器製蓋の表面側には摘みなどが形成されてなく滑らかな曲面状に形成され、その直径も乳児が掴めない大きさであるため、乳児が誤って陶磁器製蓋を取って内部の熱い離乳食で火傷などをする心配もない。
【０００９】
また、請求項２の考案に係る電子レンジ用離乳食用食器によれば、前記の効果に加えて、食事中に陶磁器製食器本体の内面の上面開口周縁側に乳児の口が触れたり上面開口周縁側を噛んだりしても、凹凸溝は陶磁器製食器本体の内面の上面開口周縁より少し下側の低い箇所から底面側にわたって形成されているため、陶磁器製食器本体の内面に形成した凹凸溝に乳児の口や唇が触れることがなく、凹凸溝で乳児が唇や口の中を傷つけることもない。
【００１０】
また、請求項３の考案に係る電子レンジ用離乳食用食器によれば、前記請求項１及び請求項２の効果に加えて、陶磁器製食器本体の側面に把手を設けたことにより、電子レンジから離乳食用食器を取り出す際には、電子レンジで加熱された陶磁器製食器本体に直接触れることなく、陶磁器製食器本体から側方に突出して設けられ陶磁器製食器本体に比べ加熱されていないこの把手を掴むことにより手を火傷することなく、安全に取り出すことができる。
さらに、把手の表面に窪みを設けたことにより、掴む手の親指がこの窪みに少し入ることよって滑ることがなくなり、しっかりと把手を掴むことが可能となり、指先が滑って離乳食用食器を落としたり、中味の熱い食べ物を溢したりするのを防止することができ、又離乳食用食器を落としたり、中味の熱い食べ物を溢したりすることに起因して離乳食の準備する者や乳児を怪我させるたりすることもない等、極めて実用的有益なる効果を奏するものである。
【考案を実施するための最良の形態】
【００１１】
以下、図面に記載の考案を実施するための最良の形態に基づいて、この考案をより具体的に説明する。
ここで、図１は電子レンジ用離乳食用食器の側断面図、図２は電子レンジ用離乳食用食器の側面図、図３は電子レンジ用離乳食用食器の平面図、図４は電子レンジ用離乳食用食器の陶磁器製食器本体の側断面図、図５は電子レンジ用離乳食用食器の陶磁器製食器本体の平面図、図６は電子レンジ用離乳食用食器の蓋の側断面図、図７は電子レンジ用離乳食用食器の蓋の平面図、図８は電子レンジ用離乳食用食器の蓋の底面図である。
【００１２】
図において、電子レンジ用離乳食用食器１は、電子レンジを利用して離乳食を作ることができ、また乳児用の離乳食用食器を兼用しており、できあがった離乳食を乳児用食器に移し替える手間も省けて、乳児はこの食器１でそのまま離乳食を食べることができる特徴を備えており、乳児が食べやすい大きさや軟らかさの離乳食が内部側にできる陶磁器製食器本体２、陶磁器製食器本体２の上面開口周縁に嵌合係止される陶磁器製蓋３とから構成される。
【００１３】
また、電子レンジ用離乳食用食器１は、電子レンジを使用して加熱する場合、陶磁器製以外の例えばプラスチック製や金属製の場合には乳児に有害な物質が離乳食中に溶け出ることの懸念も考えられるが、長年使用されて安全性も十分に確認されている陶磁器製であるため、この電子レンジ用離乳食用食器１を使用して離乳食を作り、親は安心して乳児にできあがった離乳食を与えることができる。
【００１４】
陶磁器製茶碗２は、電子レンジによる加熱時にはその内側に乳児が食べやすい大きさや軟らかさの離乳食ができあがる部分であり、また、料理を作る鍋などのイメージがなく、できあがった離乳食を乳児がそのまま食べても、鍋などで食べているとの違和感を生じさせることがない。
【００１５】
即ち、陶磁器製食器本体２は、乳児が離乳食を食べるときに一般的に使用される離乳食用食器と同様な材質の陶磁器製からなり、又その外形も離乳食を食べるときに一般的に使用される陶磁器製の離乳食用食器と全く遜色がなく、一般的に使用される陶磁器製の離乳食用食器と全く同じ感触で乳児は離乳食を食べることができる。
【００１６】
陶磁器製食器本体２の内面には、電子レンジによる加熱時に生じる対流で食べ物が接触した際に食べ物がすり潰される凹凸溝２１が形成されている。凹凸溝２１は底面中央から内周側面に向けて形成されている。凹凸溝２１は、溝幅が一定で、溝長さが順次短くなる底面中央を頂点とする略三角形型溝形成領域２１ａ〜２１ｈの例えば８等分に分割されている。
【００１７】
略三角形型溝形成領域２１ａ〜２１ｈにそれぞれ形成された各凹凸溝２１は、各略三角形型溝形成領域２１ａ〜２１ｈの底面側の頂点から内周側面に延びる三角形の斜辺の一つにそれぞれ平行に形成されている。このため、各略三角形型溝形成領域２１ａ〜２１ｈにそれぞれ形成された凹凸溝２１の方向は、隣の略三角形型溝形成領域２１ａ〜２１ｈに形成された凹凸溝２１の方向とは平行になっていない。
【００１８】
このように、各略三角形型溝形成領域２１ａ〜２１ｈにそれぞれ形成された凹凸溝２１の方向をかえたのは、電子レンジの加熱により生じる対流で食べ物が接触した際に食べ物がさらにすり潰されやすくするためである。また、凹凸溝２１の溝幅を一定にしたのは対流を利用した接触により、均一の大きさにすり潰すことができるようにするためである。
【００１９】
また、凹凸溝２１は陶磁器製食器本体２の上面開口周縁より少し下側の低い箇所から底面側にわたって形成されている。これは乳児が食事中に食器の上面開口周縁に唇が触れたり上面開口周縁を噛んだりすることがよくあり、このときに凹凸溝２１で唇や口の中を傷つけるのを防ぐためである。
【００２０】
陶磁器製食器本体２の下端側の中央には、一般的な離乳食用食器と同様に環状の甲台が形成されている。また、陶磁器製食器本体２の外周側の側面には側方に向けて突出する把手２２が形成されている。把手２２は電子レンジ用離乳食用食器１を電子レンジ内から取り出すときに、手で掴むためのものである。
【００２１】
電子レンジ用離乳食用食器１は、内部の食べ物が電子レンジによる加熱によって熱くなることで食器自体も熱くなるが、把手２２は側方に突出していて、熱くなった内部の食べ物から少し離れているので余り熱くなることがなく、火傷することなく容易に手で掴むことができる。
【００２２】
また、手で掴んだときに滑らないように、把手２２の表面中央には窪み２２ａが形成されている。窪み２２ａは親指で掴まれる部分で、掴んだ親指がこの窪み２２ａに入ることで把手２２の表面で滑ることが防がれ、電子レンジから取り出し中に電子レンジ用離乳食用食器１を落としたり、傾けたりして内部の熱い離乳食を溢したりするのを防ぐことができる。
【００２３】
陶磁器製蓋３は陶磁器製食器本体２の上面開口部分に被せられるもので、陶磁器製蓋３の周縁の外径は、陶磁器製食器本体２の上面開口周縁の外径と略同一に形成されている。陶磁器製蓋３は、これを陶磁器製食器本体２に被せたとき、陶磁器製蓋３の周縁が陶磁器製食器本体２の上面開口周縁に嵌合係止される構造になっている。
【００２４】
陶磁器製蓋３は、電子レンジで離乳食を作る途中で生じる吹きこぼれを防いで、離乳食がおいしく出来上がるようにするものである。離乳食の吹きこぼれを防ぎ、又乳児が勝手に蓋を開けることがないように、陶磁器製蓋３は、少し重たくなっている。
【００２５】
また、陶磁器製蓋３の内面には陶磁器製食器本体２と同様に、電子レンジによる加熱時に生じる対流で食べ物が接触した際に食べ物がすり潰される凹凸溝３１が形成されている。凹凸溝３１は内面中央から内周縁側に向けて形成されている。凹凸溝３１は、溝幅が一定で、溝長さが順次短くなる内面中央を頂点とする略三角形型溝形成領域３１ａ〜３１ｈの例えば８等分に分割されている。
【００２６】
略三角形型溝形成領域３１ａ〜３１ｈにそれぞれ形成された各凹凸溝３１は、各略三角形型溝形成領域３１ａ〜３１ｈの内面中央の頂点から内周縁側に延びる三角形の斜辺の一つにそれぞれ平行に形成されている。このため、各略三角形型溝形成領域３１ａ〜３１ｈにそれぞれ形成された凹凸溝３１の方向は、隣の略三角形型溝形成領域３１ａ〜３１ｈに形成された凹凸溝３１の方向とは平行になっていない。
【００２７】
このように、各略三角形型溝形成領域３１ａ〜３１ｈにそれぞれ形成された凹凸溝３１の方向をかえたのは、電子レンジの加熱により生じる対流で食べ物が接触した際に食べ物がさらにすり潰されやすくするためである。また、凹凸溝３１の溝幅を一定にしたのは対流を利用した接触により、均一の大きさにすり潰すことができるようにするためである。
【００２８】
陶磁器製蓋３は周縁側からその中央に向けて上向きに凸状の滑らかな山形の曲面形状に形成されている。また、陶磁器製蓋３の表面には蓋を開ける場合に利用される把手などが形成されてなく、滑らかな曲面形状のみからなっている。陶磁器製食器本体２内には熱い離乳食が入っており、親が見ていない時に乳児が勝手に陶磁器製蓋３を開けることが無いようにするためである。
【００２９】
陶磁器製蓋３には、蓋の内面から外面に貫通する通気孔３２が形成されている。通気孔３２は電子レンジによる加熱時に陶磁器製食器本体２の内部の圧力が高くなり過ぎるのを防ぐものである。
【００３０】
次に、上記考案を実施するための最良の形態の構成に基づく使用方法について以下説明する。
お粥の離乳食を作る場合には、電子レンジ用離乳食用食器１の陶磁器製食器本体２に、冷やご飯を大さじに一杯、水を大さじ四杯を入れ、これを電子レンジの例えば500Ｗで５分加熱すると、乳児が食べやすい大きさや軟らかさの五分粥の離乳食ができる。
【００３１】
普通の食器を使って電子レンジで加熱したものでは、ご飯の芯の一部が残り、略完全にすり潰した状態にできず、スリコギでご飯の芯の部分をすり潰す必要がある。これに対して、本願の電子レンジ用離乳食用食器１を使用した場合には、お粥のご飯の粒のかたまりが略完全に潰れてなくなり、ドロドロした粘りけのあるお粥ができ、従来のスリコギを使ってすり潰したのと同様のお粥の離乳食ができる。
【００３２】
パンと牛乳からなる離乳食を作る場合には、電子レンジ用離乳食用食器１の陶磁器製食器本体２に、食パンを４分の１切れ、牛乳を大さじ三杯を入れ、これを電子レンジの例えば500Ｗで１分加熱すると、乳児が食べやすい大きさや軟らかさのパンと牛乳からなる離乳食ができる。
【００３３】
普通の食器を使って電子レンジで加熱したものでは、食パンの芯の一部が残り、略完全にすり潰した状態にできず、スリコギで食パンの芯の部分をすり潰す必要がある。これに対して、本願の電子レンジ用離乳食用食器１を使用した場合には、食パンがドロドロに溶けて牛乳と一体となり、ドロドロした粘りけのある離乳食ができ、従来のスリコギを使ってすり潰したのと同様のパンと牛乳からなる離乳食ができる。
【００３４】
つまり、電子レンジによる加熱によって、電子レンジ用離乳食用食器１の内部では水や牛乳による対流が生じて、この対流でご飯や食パンの食べ物が陶磁器製食器本体２の内面や陶磁器製蓋３の内面に接触するが、接触するこれらの内面には凹凸溝２１、凹凸溝３１がそれぞれ形成されているため、接触した際に食べ物がすり潰されて、ドロドロした粘りけのある離乳食が出来上がるのである。
【００３５】
このようにして出来上がった離乳食が入った電子レンジ用離乳食用食器１を乳児が待つ食台の上に置き、陶磁器製蓋３を開けて乳児に離乳食を食べさせる。出来上がった離乳食をべつの乳児用食器に移し替える手間も省けて、乳児にその電子レンジ用離乳食用食器でそのまま離乳食を食べさせることができる。
【００３６】
離乳食が入っている陶磁器製食器本体２の内面には凹凸溝２１が形成されているが、凹凸溝２１は乳児の口が触れたり噛んだりする陶磁器製食器本体２の上面開口周縁には形成されてなく、上面開口周縁より下側から底面側に向かって形成されているので、凹凸溝２１によって乳児が唇や口の中を傷つけることはない。
【００３７】
また、電子レンジから電子レンジ用離乳食用食器１を取り出す場合には、陶磁器製食器本体２の側面から側方に突出した把手２２を掴むことにより、余り熱くなく電子レンジ用離乳食用食器１を取り出すことができる。しかも、把手２２の表面中央には窪み２２ａが形成されているため、親指でこの部分を掴むと滑ることがなく、誤って電子レンジ用離乳食用食器１を落としたり、傾けて中味が溢れでることもない。
【００３８】
なお、この考案は上記考案を実施するための最良の形態に限定されるものではなく、この考案の精神を逸脱しない範囲で種々の改変をなし得ることは勿論である。
【図面の簡単な説明】
【００３９】
【図１】この考案を実施するための最良の形態を示す電子レンジ用離乳食用食器の側断面図である。
【図２】この考案を実施するための最良の形態を示す電子レンジ用離乳食用食器の側面図である。
【図３】この考案を実施するための最良の形態を示す電子レンジ用離乳食用食器の平面図である。
【図４】この考案を実施するための最良の形態を示す電子レンジ用離乳食用食器の陶磁器製食器本体の側断面図である。
【図５】この考案を実施するための最良の形態を示す電子レンジ用離乳食用食器の陶磁器製食器本体の平面図である。
【図６】この考案を実施するための最良の形態を示す電子レンジ用離乳食用食器の蓋の側断面図である。
【図７】この考案を実施するための最良の形態を示す電子レンジ用離乳食用食器の蓋の平面図である。
【図８】この考案を実施するための最良の形態を示す電子レンジ用離乳食用食器の蓋の底面図である。
【符号の説明】
【００４０】
１    電子レンジ用離乳食用食器
２    陶磁器製食器本体
２１    凹凸溝
２１ａ〜２１ｈ  略三角形型溝形成領域
２２    把手
２２ａ  窪み
３    陶磁器製蓋
３１    凹凸溝
３１ａ〜３１ｈ  略三角形型溝形成領域
３２    通気孔
【図１】
0003126580.tif 000003
【図２】
0003126580.tif 000004
【図３】
0003126580.tif 000005
【図４】
0003126580.tif 000006
【図５】
0003126580.tif 000007
【図６】
0003126580.tif 000008
【図７】
0003126580.tif 000009
【図８】
0003126580.tif 000010